(57)【要約】  スライドファスナーの第１及び第２のテープ間に形成される開口を渡って固定するためのスライドファスナー補強ストラップ。スライドファスナー補強ストラップは中心線に沿って第１の端から第２の端に延在する。スライドファスナー補強ストラップは第１及び第２の端間に第１の突出部を含み、第１の突出部は中心線に垂直である第１の方向へ延出する。
2017030123.tif 000002
【特許請求の範囲】
【請求項１】
スライドファスナーの第１及び第２のテープ間に形成される開口を渡って固定するためのスライドファスナー補強ストラップであって、
スライドファスナー補強ストラップは、中心線に沿って第１の端から第２の端に延在しており、
スライドファスナー補強ストラップは、第１及び第２の端間に第１の突出部を含んでおり、
第１の突出部は、中心線に垂直である第１の方向へ延出する、スライドファスナー補強ストラップ。
【請求項２】
中心線に垂直であり第１の方向に反対である第２の方向へ延出する第２の突出部をさらに備える、請求項１に記載のスライドファスナー補強ストラップ。
【請求項３】
スライドファスナー補強ストラップは、第１の平面に存するように平面状である、請求項１又は請求項２に記載のスライドファスナー補強ストラップ。
【請求項４】
第１の方向は第１の平面内に存する、請求項３に記載のスライドファスナー補強ストラップ。
【請求項５】
第２の方向は第１の平面内に存する、請求項２に従属する場合に請求項３又は請求項４に記載のスライドファスナー補強ストラップ。
【請求項６】
補強ストラップは、補強ストラップが実質的に文字Ｕの形状を成すように補強ストラップが優先して折られるのを可能にするべく構成された２つの予め付けた折り目を備える、請求項１〜５のいずれか１項に記載のスライドファスナー補強ストラップ。
【請求項７】
スライドファスナーは、第１及び第２のファスナーテープ及びスライダーを含み、
各ファスナーテープは、ファスナーテープの端縁に沿って設けられた結合部を含んでおり、
ファスナーテープの結合部は互いに隣接して配置されており、
第１及び第２のファスナーテープの結合部はスライダーによって受け入れられ、
またスライダーは、第１の摺動方向でのファスナーテープに対するスライダーの移動が結合部を互いに係止させ、第１の摺動方向に反対の第２の摺動方向でのファスナーテープに対するスライダーの移動が結合部を互いに分離させるように構成され、
第１及び第２のファスナーテープに、請求項１〜請求項６のいずれか１項に記載のスライドファスナー補強ストラップが取り付けられる、スライドファスナー。
【請求項８】
スライドファスナー補強ストラップは、スライドファスナーに対して、第１の突出部が中心線から延出する第１の方向が第２の摺動方向と同じ方向であるように向けられる、請求項７に記載のスライドファスナー。
【請求項９】
スライドファスナー補強ストラップは、スライドファスナーに対して、第１の突出部が中心線から延出する第１の方向が第１の摺動方向と同じ方向であるように向けられる、請求項７に記載のスライドファスナー。
【請求項１０】
スライドファスナー補強ストラップは、中心線がＵ字形を成すように折り返される、請求項７〜９のいずれか１項に記載のスライドファスナー。
【請求項１１】
スライドファスナー補強ストラップは、スライドファスナーに対して、スライドファスナー補強ストラップの第１及び第２の端における中心線が第１及び第２の摺動方向に平行であるように、且つ第１の突出部の領域における中心線が第１及び第２の摺動方向に垂直であるように向けられる、請求項１０に記載のスライドファスナー。
【請求項１２】
スライダーは、第３の方向で上部から下部へ延在する連結柱によって下部と連結された上部を備えており、
上部、下部及び連結柱は、協働して、連結柱によって第２の溝部から分離された第１の溝部と第１及び第２の溝部に隣接する第３の溝部とを有するＹ形溝を画成しており、
第１のファスナーテープの結合部は、スライダーのＹ形溝の第１及び第３の溝部によって受け入れられ、
第２のファスナーテープの結合部は、スライダーのＹ形溝の第２及び第３の溝部によって受け入れられ、
突出部の中心線にごく近傍で、かつ中心線に平行な第１の突出部の幅は、Ｙ形溝の第１の溝部の入口の幅よりも大きく、且つ／又はＹ形溝の第２の溝部の入口の幅よりも大きく、
第１の溝部の入口の幅及び第２の溝部の入口の幅は、突出部の領域における中心線に平行な方向にある、請求項７〜１１のいずれか１項に記載のスライドファスナー。
【請求項１３】
スライダーは、第３の方向で上部から下部へ延在する連結柱によって下部と連結された上部を備えており、
上部、下部及び連結柱は、協働して、連結柱によって第２の溝部から分離された第１の溝部と第１及び第２の溝部に隣接する第３の溝部とを有するＹ形溝を画成しており、
第１のファスナーテープの結合部は、スライダーのＹ形溝の第１及び第３の溝部によって受け入れられ、
第２のファスナーテープの結合部は、スライダーのＹ形溝の第２及び第３の溝部によって受け入れられ、
第１及び第２の溝部の各々の入口は、第３の溝部の入口が位置するスライダーの後端の反対のスライダーの前端に位置し、
第１の突出部は、第１の突出部に隣接しているスライドファスナー補強ストラップの部分から、下部の最前端と連結柱が上部に隣接する最前点との間の距離よりも大きい距離だけ第１の方向に延出する、請求項７〜１１のいずれか１項に記載のスライドファスナー。
【請求項１４】
スライダーは、第３の方向で上部から下部へ延在する連結柱によって下部と連結された上部を備えており、
上部、下部及び連結柱は、協働して、連結柱によって第２の溝部から分離された第１の溝部と第１及び第２の溝部に隣接する第３の溝部とを有するＹ形溝を画成しており、
第１のファスナーテープの結合部は、スライダーのＹ形溝の第１及び第３の溝部によって受け入れられ、
第２のファスナーテープの結合部は、スライダーのＹ形溝の第２及び第３の溝部によって受け入れられ、
第１の突出部は、第１の突出部に隣接しているスライドファスナー補強ストラップの部分から、上部と下部との間の第３の方向での距離の半分よりも大きい距離だけ第１の方向に延出する、請求項７〜１１のいずれか１項に記載のスライドファスナー。
【請求項１５】
第１及び第２のファスナーテープは、端止め具によって一緒に固定されており、
端止め具は、第１の摺動方向又は第２の摺動方向での第１及び第２のファスナーテープに対するスライダーの移動を制限する、請求項７〜１４のいずれか１項に記載のスライドファスナー。
【請求項１６】
端止め具は、第１の摺動方向での第１及び第２のファスナーテープに対するスライダーの移動を制限し、
スライドファスナー補強ストラップは、スライダーが端止め具に当接するように位置した時にスライドファスナー補強ストラップがスライダーに重なるように配置されている、請求項１５に記載のスライドファスナー。
【請求項１７】
スライドファスナー補強ストラップは、スライダーが端止め具に当接するように位置した時に第２の突出部がスライダーに重なることを保証するのに十分な量だけ第２の突出部が第２の方向で中心線から延出するように配置されている、請求項１６に記載のスライドファスナー。
【請求項１８】
スライドファスナー補強ストラップは、スライダーが端止め具に当接するように位置した時に第１の摺動方向に平行なスライダーの長さのおよそ３分の１に等しい距離だけ第２の突出部がスライダーに重なることを保証するのに十分な量で第２の突出部が第２の方向で中心線から延出するように配置される、請求項１７に記載のスライドファスナー。
【請求項１９】
端止め具は、第２の摺動方向での第１及び第２のファスナーテープに対するスライダーの移動を制限し、
スライドファスナー補強ストラップは、スライダーが端止め具に当接するように位置した時に補強ストラップがスライダーに重なるように配置されている、請求項１５に記載のスライドファスナー。
【請求項２０】
スライドファスナー補強ストラップは、スライダーが端止め具に当接するように位置した時に第１の突出部がスライダーに重なることを保証するのに十分な量だけ第１の突出部が第１の方向で中心線から延出するように配置されている、請求項１９に記載のスライドファスナー。
【請求項２１】
スライドファスナー補強ストラップは、スライダーが端止め具に当接するように位置した時に第２の突出部がスライダーに重なることを保証するのに十分な量だけ第２の突出部が第２の方向で中心線から延出するように配置されている、請求項１９に記載のスライドファスナー。
【請求項２２】
スライドファスナー補強ストラップの第１の端は第１のファスナーテープに止着され、スライドファスナー補強ストラップの第２の端は第２のファスナーテープに止着される、請求項７〜２１のいずれか１項に記載のスライドファスナー。
【請求項２３】
請求項７〜２２のいずれか１項に記載のスライドファスナーを含む物品。
【請求項２４】
スライドファスナーは、第１及び第２のファスナーテープ及びスライダーを含み、
各ファスナーテープは、ファスナーテープの端縁に沿って設けられた結合部を含んでおり、
ファスナーテープの結合部は互いに隣接して配置されており、
第１及び第２のファスナーテープの結合部はスライダーによって受け入れられ、
またスライダーは、第１の摺動方向でのファスナーテープに対するスライダーの移動が結合部を互いに係止させ、第１の摺動方向に反対の第２の摺動方向でのファスナーテープに対するスライダーの移動が結合部を互いに分離させるように構成され、
第１のファスナーテープは、物品の第１の部分に止着され、
第２のファスナーテープは、物品の第２の部分に止着され、
物品の第１及び第２の部分に、請求項１〜請求項６のいずれか１項に記載のスライドファスナー補強ストラップが取り付けられる、スライドファスナーを含む物品。
【請求項２５】
スライドファスナー補強ストラップの第１の端は物品の第１の部分に止着され、スライドファスナー補強ストラップの第２の端は物品の第２の部分に止着され、
第１のファスナーテープは、物品の第１の部分と第２のファスナーテープとの間に配置され、
第２のファスナーテープは、物品の第２の部分と第１のファスナーテープとの間に配置される、請求項２４に記載のスライドファスナーを含む物品。
【発明の詳細な説明】
【技術分野】
【０００１】
本発明は、スライドファスナー補強ストラップ及び該スライドファスナー補強ストラップを含むスライドファスナーに関する。
【背景技術】
【０００２】
既知のスライドファスナー（ジッパーとも称する）は一般に次のように構成される。【０００３】
通常、複数の結合エレメント（務歯とも称する）の形態の結合部がテープの端縁に固定されてストリンガーを形成する。テープは通常、織成又は編成され、例えば、ポリエステルから形成され得る。結合エレメントは、例えば、結合エレメントをテープの補強した端縁に圧着又は成形することによってテープに固定される。代替として、結合エレメントは合成樹脂性のモノフィラメントを巻回してコイル状とした連続コイルとして形成してもよい。この場合、結合エレメントは最も一般的にはテープに織成又は編成と同時にテープの端縁に固定されるか、又は代替としてテープの端縁でテープの表面に縫製される。【０００４】
２個のストリンガーは、各ストリンガーの結合エレメントが例えば交互嵌合によって互いに係止されてチェーンを形成できるように一緒に合わせられる。チェーンは概ね平面状であり、チェーン（及びチェーンの一部を成す結合部）はチェーンの縦軸に沿って延在する。スライダーが２個のストリンガーの間でチェーンに沿って移動できるようにチェーンに取り付けられる。【０００５】
スライダーは、一般に、各ストリンガーの結合エレメントが通り抜ける胴体及び胴体に取り付けられた引き手を含み、引き手は使用者が把持してチェーンに沿ったスライダーの移動を生じる。【０００６】
第１の摺動方向でのチェーンに沿ったスライダーの移動により、第１のストリンガーの結合エレメントは第２のストリンガーの結合エレメントに係止することになる。他方、第１の摺動方向に反対の第２の摺動方向でのチェーンに沿ったスライダーの移動により、第１のストリンガーの結合エレメントは第２のストリンガーの結合エレメントから分離することになる。【０００７】
チェーンは所要の長さに切断されて所要の長さのスライドファスナーを形成する。端止め具（しばしば上止め具及び下止め具と称する）がチェーンの一端に止着される。端止め具はスライダーがチェーンに沿って可能とする移動の範囲を制限する。【０００８】
スライドファスナーの中には単一の下止め具が第１及び第２のストリンガーの両方に止着されているものがある。分離形スライドファスナーと称し得る別のスライドファスナーでは、２個の別個の下止め具が第１及び第２のストリンガーのそれぞれに固定されている。２個の下止め具は箱体及び蝶棒の形態をとってもよい。蝶棒は箱体に挿入でき第１及び第２のストリンガーを互いに係止させる。逆に、蝶棒は箱体から取り外して第１及び第２のストリンガーを互いに分離させ得る。【０００９】
以下でさらに詳述する本発明は、単一の下止め具を有する形式のスライドファスナーとの組合せで最も有用である。【００１０】
スライドファスナーの中には２個の別個の上止め具が第１及び第２のストリンガーのそれぞれに固定されているものがある。別のスライドファスナーでは単一の上止め具が第１及び第２のストリンガーの両方に止着されている。【００１１】
スライドファスナーが単一の下止め具及び／又は単一の上止め具を含む状況で、ストリンガーの一方に（特にスライダーの摺動方向に垂直な方向で）著しい力が加わった場合、それによりストリンガーの下止め具及び／又は上止め具において脱落させることになり、スライドファスナーに損傷をもたらし、場合によってはスライドファスナーが動作不能になる結果となる。これは例えば、使用者がドライスーツを着脱するためのドライスーツの進入口の一部をスライドファスナーが形成している場合に起こり得る。例えば、ドライスーツを着る時に使用者が誤ってストリンガーの一方を踏みつけることもあり、他方のストリンガーから引き離す原因になる。【００１２】
この問題に対処するために、適宜、下止め具及び／又は上止め具のごく近傍の位置で第１及び第２のストリンガー間に延在する補強ストラップをスライドファスナーに設けることが知られている（例えば、特許文献１参照）。この場合、ストリンガーの一方に著しい力が加わった場合、その力は補強ストラップによって吸収され、それによりストリンガーが下止め具及び／又は上止め具において引き離されるのを防ぎ、それによってスライドファスナーへの損傷を防ぐ。【００１３】
スライドファスナーの用途によっては、チェーンの縦軸（チェーンの長さ方向に延びる軸を言う）及びチェーンの平面の垂線の両方に垂直である軸に関してスライドファスナーが湾曲する必要があるものがある。これは例えばスライドファスナーがドライスーツの一部を成す場合に起こり得る。スライドファスナーはドライスーツの着用者の腰及び／又は肩の上を通過することがあり、これが前述の湾曲をもたらす。例えば、スライドファスナーが肩の上を全体に通過し、さらにドライスーツの前面から背中に通過することさえある。場合によっては、スライドファスナーに沿ってスライダーを摺動させる間に補強ストラップを含むスライドファスナーが湾曲していることにより、補強ストラップがスライダーに引っかかることになり得る。これはひいてはスライダーが補強ストラップを引き裂くか、且つ／又はストリンガーの少なくとも一方の結合エレメントがスライダーから分離してスライドファスナーを動作不能にすることになり得る。【００１４】
さらに、補強ストラップの付いたスライドファスナーを含む物品の中には、例えば、ドレスのように身体に密接するものであることもある。そうした場合、物品を使用している間に補強ストラップが結合エレメント及び／又はスライダーに押し込まれ、そのためにやはり補強ストラップは、スライドファスナーに沿ってスライダーを摺動させる間にスライダーに引っかかり得る。【００１５】
既知のスライドファスナーの中には防水のものがあり、使用中、スライドファスナーが閉鎖構成になっている時には水がスライドファスナーをほとんど通り抜けない。そうしたスライドファスナーはドライスーツのような実質的に防水に設計された物品の一部を形成し得る。スライドファスナーを防水にするために結合エレメントが防水スライドファスナー内で互いに結合しなければならない程度がより大きくなっているために、防水スライドファスナーは標準スライドファスナーに比べてスライダーを摺動させるためにより大きな力を必要とすることが普通である。防水スライドファスナーを操作するために余計な力を使用する必要は、補強ストラップを含むスライドファスナーに関して上述した問題を悪化させ得る。
【先行技術文献】
【特許文献】
【００１６】
【特許文献１】英国特許第１４１７７１４号明細書
【発明の概要】
【発明が解決しようとする課題】
【００１７】
本発明の目的は、上述した問題を排除又は改善する補強ストラップ及びスライドファスナーを提供することである。本発明のさらなる目的は、代替的な補強ストラップ及びスライドファスナーを提供することである。
【課題を解決するための手段】
【００１８】
本発明の第１の態様によれば、スライドファスナーの第１及び第２のテープ間に形成される開口を渡って固定するためのスライドファスナー補強ストラップが提供され、スライドファスナー補強ストラップは、中心線に沿って第１の端から第２の端に延在しており、スライドファスナー補強ストラップは、第１及び第２の端間に第１の突出部を含んでおり、第１の突出部は、中心線に垂直である第１の方向へ延出する。【００１９】
第１の突出部は、本発明のこの態様に従ったスライドファスナー補強ストラップとともに使用されるスライドファスナーのスライダーにスライドファスナー補強ストラップが引っかかるのを実質的に防ぐように機能する。【００２０】
中心線はスライドファスナー補強ストラップの縦軸とも称し得る。第１の突出部は、第１の突出部のごく近傍の中心線から、すなわち第１の突出部に隣接する中心線の部分から延出するとしてよい。【００２１】
スライドファスナー補強ストラップは、中心線に垂直であり一般に第１の方向に反対である第２の方向へ延出する第２の突出部をさらに備える。【００２２】
第２の突出部は、第２の突出部のごく近傍の中心線から、すなわち第２の突出部に隣接する中心線の部分から延出するとしてよい。【００２３】
スライドファスナー補強ストラップは。第１の平面に存するように概ね平面状であるとしてよい。【００２４】
第１の方向は一般に第１の平面内に存するとしてよい。【００２５】
第２の方向は一般に第１の平面内に存するとしてよい。【００２６】
スライドファスナー補強ストラップは柔軟性材料から形成され得る。【００２７】
補強ストラップは、補強ストラップが実質的に文字Ｕの形状を成すように優先して折られるのを可能にするべく構成された２つの予め付けた折り目を備える。【００２８】
本発明の第２の態様によれば、本発明の第１の態様に従ったスライドファスナー補強ストラップ及びスライドファスナーが提供され、スライドファスナーは、第１及び第２のファスナーテープ及びスライダーを含み、各ファスナーテープは、ファスナーテープの端縁に沿って設けられた結合部を含み、ファスナーテープの結合部は互いに隣接して配置されており、第１及び第２のファスナーテープの結合部はスライダーによって受け入れられ、またスライダーは、第１の摺動方向でのファスナーテープに対するスライダーの移動が結合部を引っ張り互いに係止させ、一般に第１の摺動方向に反対の第２の摺動方向でのファスナーテープに対するスライダーの移動が結合部を互いに分離させるように構成され、第１及び第２のファスナーテープに、スライドファスナー補強ストラップが取り付けられている。【００２９】
スライドファスナー補強ストラップは、スライドファスナーに対して、第１の突出部が中心線から延出する第１の方向が第２の摺動方向と同じ方向であるように向けられ得る。【００３０】
スライドファスナー補強ストラップは、スライドファスナーに対して、第１の突出部が中心線から延出する第１の方向が第１の摺動方向と同じ方向であるように向けられ得る。【００３１】
スライドファスナー補強ストラップは、中心線がＵ字形を成すようにそれ自体に折り返され得る。そうしたものとして、スライドファスナー補強ストラップもまた概ねＵ字形を成すと言える。【００３２】
スライドファスナー補強ストラップは、スライドファスナーに対して、スライドファスナー補強ストラップの第１及び第２の端における中心線が第１及び第２の摺動方向に平行であるように、且つ第１の突出部の領域における中心線が第１及び第２の摺動方向に垂直であるように向けられ得る。【００３３】
スライダーは、第３の方向で上部から下部へ延在する連結柱によって下部と連結された上部を備えるとしてよく、上部、下部及び連結柱は、協働して、連結柱によって第２の溝部から分離された第１の溝部と第１及び第２の溝部に隣接する第３の溝部とを有するＹ形溝を画成し得る。第１のファスナーテープの結合部は、スライダーのＹ形溝の第１及び第３の溝部によって受け入れられ、第２のファスナーテープの結合部は、スライダーのＹ形溝の第２及び第３の溝部によって受け入れられ得る。突出部の中心線にごく近傍で、かつ中心線に平行な第１の突出部の幅は、Ｙ形溝の第１の溝部の入口の幅よりも大きく、且つ／又はＹ形溝の第２の溝部の入口の幅よりも大きいとしてよい。第１の溝部の入口の幅及び第２の溝部の入口の幅は、突出部の領域における中心線に平行な方向にあるとしてよい。【００３４】
また、Ｙ形溝は、上部及び下部からそれぞれ互いに向けて張出しているスライダーの両側の側方フランジによって画成され得る。【００３５】
スライダーは、第３の方向で上部から下部へ延在する連結柱によって下部と連結された上部を備えるとしてよい。上部、下部及び連結柱は、協働して、連結柱によって第２の溝部から分離された第１の溝部と第１及び第２の溝部に隣接する第３の溝部とを有するＹ形溝を画成し得る。第１のファスナーテープの結合部は、スライダーのＹ形溝の第１及び第３の溝部によって受け入れられ、第２のファスナーテープの結合部は、スライダーのＹ形溝の第２及び第３の溝部によって受け入れられ得る。第１及び第２の溝部の各々の入口は、第３の溝部の入口が位置するスライダーの後端の反対のスライダーの前端に位置し得る。第１の突出部は、第１の突出部に隣接しているスライドファスナー補強ストラップの部分から、下部の最前端と連結柱が上部に隣接する最前点との間の距離よりも大きい距離だけ第１の方向に延出するとしてよい。【００３６】
スライダーは、第３の方向で上部から下部へ延在する連結柱によって下部と連結された上部を備えるとしてよい。上部、下部及び連結柱は、協働して、連結柱によって第２の溝部から分離された第１の溝部と第１及び第２の溝部に隣接する第３の溝部とを有するＹ形溝を画成し得る。第１のファスナーテープの結合部は、スライダーのＹ形溝の第１及び第３の溝部によって受け入れられ、第２のファスナーテープの結合部は、スライダーのＹ形溝の第２及び第３の溝部によって受け入れられ得る。第１の突出部は、第１の突出部に隣接しているスライドファスナー補強ストラップの部分から、上部と下部との間の第３の方向での距離の半分よりも大きい距離だけ第１の方向に延出するとしてよい。【００３７】
第１及び第２のファスナーテープは、端止め具によって一緒に固定されるとしてよく、端止め具は、第１の摺動方向又は第２の摺動方向での第１及び第２のファスナーテープに対するスライダーの移動を制限する。【００３８】
端止め具は、第１の摺動方向での第１及び第２のファスナーテープに対するスライダーの移動を制限し得る。スライドファスナー補強ストラップは、スライダーが端止め具に当接するように位置した時にスライドファスナー補強ストラップがスライダーに重なるように配置され得る。スライダーが端止め具に当接するように位置した時に補強ストラップがスライダーに重なる補強ストラップの部分は、突出部であるとしてよい。突出部は第１の突出部であるとしてよい。突出部は第２の突出部であるとしてよい。【００３９】
スライドファスナー補強ストラップは、スライダーが端止め具に当接するように位置した時に第２の突出部がスライダーに重なることを保証するのに十分な量だけ第２の突出部が第２の方向で中心線から延出するように配置され得る。【００４０】
スライドファスナー補強ストラップは、スライダーが端止め具に当接するように位置した時に第１の摺動方向に平行なスライダーの長さのおよそ３分の１に等しい距離だけ第２の突出部がスライダーに重なることを保証するのに十分な量で第２の突出部が第２の方向で中心線から延出するように配置され得る。【００４１】
端止め具は、第２の摺動方向での第１及び第２のファスナーテープに対するスライダーの移動を制限し得る。スライドファスナー補強ストラップは、スライダーが端止め具に当接するように位置した時に補強ストラップがスライダーに重なるように配置され得る。スライダーが端止め具に当接するように位置した時に補強ストラップがスライダーに重なる補強ストラップの部分は、突出部であるとしてよい。突出部は第１の突出部であるとしてよい。突出部は第２の突出部であるとしてよい。また、スライドファスナー補強ストラップは、スライダーが端止め具に当接するように位置した時に第１の突出部がスライダーに重なることを保証するのに十分な量だけ第１の突出部が第１の方向で中心線から延出するように配置され得る。また、スライドファスナー補強ストラップは、スライダーが端止め具に当接するように位置した時に第２の突出部がスライダーに重なることを保証するのに十分な量だけ第２の突出部が第２の方向で中心線から延出するように配置され得る。【００４２】
スライドファスナーは、スライドファスナーの閉鎖構成において水がスライドファスナーを通り抜けるのを実質的に防ぐように構成された防水スライドファスナーであり得る。【００４３】
スライドファスナー補強ストラップの第１の端は第１のファスナーテープに止着され、スライドファスナー補強ストラップの第２の端は第２のファスナーテープに止着され得る。【００４４】
本発明の第３の態様によれば、本発明の第２の態様に従ったスライドファスナーを含む物品が提供される。【００４５】
本発明の第４の態様によれば、本発明の第１の態様に従ったスライドファスナー補強ストラップを含む物品が提供され、スライドファスナー補強ストラップの第１の端は物品の第１の部分に止着され、スライドファスナー補強ストラップの第２の端は物品の第２の部分に止着され、第１のファスナーテープは物品の第１の部分と第２のファスナーテープとの間に配置され、第２のファスナーテープは物品の第２の部分と第１のファスナーテープとの間に配置されている。【００４６】
本発明の他の態様及び好ましい特徴は、以下の説明及び添付クレームから明らかであろう。【００４７】
本発明をここで例示によって添付図面に関してさらに説明する。
【図面の簡単な説明】
【００４８】
【図１】スライダーを含む既知の形式のスライドファスナーの概略図である。
【図２】図１に示した形式のスライドファスナーの既知の形式のスライダーの概略図である。
【図３】図２に示したスライダーの一部の略断面図である。
【図４】スライダーを透過して、図１に示したものに類似のスライドファスナーのスライダーの概略図である。
【図５】補強ストラップを含む既知のスライドファスナーの概略図である。
【図６】湾曲した図１に示した形式のスライドファスナーの一部の略側面図である。
【図７】本発明の実施形態に従ったスライドファスナー補強ストラップの略平面図である。
【図８Ａ】スライダーが第１の摺動方向に沿って移動して、補強ストラップの突出部がスライダーの上部と下部との間に受け入れられる位置に移動した状態を示す側面図である。
【図８Ｂ】スライダーが第１の摺動方向に沿って移動して、補強ストラップの突出部の自由端がスライダーの上部に接触した状態を示す側面図である。
【図８Ｃ】スライダーが第１の摺動方向に沿って移動して、スライダーの下部に沿って突出部が摺動した状態を示す側面図である。
【図８Ｄ】スライダーが第１の摺動方向に沿って移動して、突出部がスライダーの下部に弾かれ、突出部の自由端がスライダーの下部の下側に移動した状態を示す側面図である。
【図９】本発明の別の実施形態に従ったスライドファスナー補強ストラップの略平面図である。
【図１０】図９に示した補強ストラップを含む本発明の実施形態に従ったスライドファスナーの概略図である。
【図１１】本発明に従ったスライドファスナーを含む本発明に従った第１の物品を示す図である。
【図１２】本発明に従ったスライドファスナー補強ストラップを含む本発明に従った第２の物品の一部を示す図である。
【発明を実施するための形態】
【００４９】
図１は、既知のスライドファスナー１０を示す。スライドファスナーはスライダー１１及び一対のストリンガー１２ａ、１２ｂを備える。各ストリンガー１２ａ、１２ｂは、テープ１６ａ、１６ｂの端縁に止着された複数の結合エレメント１４ａ、１４ｂの形態の結合部を備える。テープは織成又は編成されてもよく、例えば、ポリエステルから形成されてもよい。結合エレメント１４ａ、１４ｂは、例えば、結合エレメントをテープ１６ａ、１６ｂの補強した端縁に圧着又は成形することによってそれぞれのテープ１６ａ、１６ｂに止着され得る。代替として、結合エレメントは連続コイルとしても形成され得る。この場合、結合エレメントは最も一般的にはテープに織成又は編成され、又は代替としてテープの端縁でテープの表面に縫製される。防水スライドファスナーの場合、テープは防水フィルム又は押出物で被覆してもよく、結合エレメントは防水様式でテープに取付けられ得る。
【００５０】
２個のストリンガー１２ａ、１２ｂは、（図１の下部に示す通り）一緒に合わせられた時に各ストリンガー１２ａ、１２ｂの結合エレメント１４ａ、１４ｂが例えば交互嵌合によって互いに係止されてチェーン１８を形成可能なようになっている。チェーン１８は概ね平面状であり、チェーン１８（及びチェーン１８の一部を成す結合部）はチェーン１８の縦軸Ｌに沿って延在する。
【００５１】
スライダー１１は、２個のストリンガー１２ａ、１２ｂ間でチェーン１８に沿って移動されるようにチェーン１８に取付けられる。第１の摺動方向Ｅでのチェーン１８に沿ったスライダー１１の移動は、第１のストリンガー１２ａの結合エレメント１４ａを第２のストリンガー１２ｂの結合エレメント１４ｂに係止させる。他方、第１の摺動方向Ｅに反対の第２の摺動方向Ｄでのチェーンに沿ったスライダーの移動は、第１のストリンガー１２ａの結合エレメント１４ａを第２のストリンガー１２ｂの結合エレメント１４ｂから分離させる。
【００５２】
チェーン１８は、一般に所要の長さに切断されて所要の長さのスライドファスナー１０を形成する。端止め具（しばしば上止め具及び下止め具と称する）がチェーン１８の一端に止着される。端止め具はスライダー１１がチェーン１８に沿って可能とする移動の範囲を制限する。
【００５３】
図１に示したスライドファスナーにおいて、上止め具２０ａ、２０ｂはそれぞれ第１のテープ１６ａ及び第２のテープ１６ｂでチェーン１８の上端に止着された端止め具である。別のスライドファスナーでは単一の上止め具を両方のストリンガーテープに止着してもよい。
【００５４】
スライドファスナーは、第１及び第２のストリンガー１２ａ、１２ｂの両方のテープ１６ａ、１６ｂに止着され、テープ１６ａ及びテープ１６ｂを一緒に固定する単一の下止め具２２を有する。
【００５５】
図２、図３及び図４に見られるように、スライダー１１は、各ストリンガー１２ａ、１２ｂの結合エレメント１４ａ、１４ｂが通り抜ける胴体２４及び、橋部２８によって胴体２４に取り付けられた引き手２６を含む。引き手２６は使用者が把持して、例えば上述した第１及び第２の摺動方向Ｅ、Ｄでのチェーン１８に沿ったスライダー１１の移動を生じ得る。
【００５６】
より詳細には、スライダー１１の胴体２４は、第３の方向Ｂで上部３０から下部３２へ延在する連結柱３４によって下部３２と連結された上部３０を備える。上部３０は上ウィング又は上ブレードと呼ぶこともある。同様に、下部は下ウィング又は下ブレードと呼ぶこともある。連結柱３４はダイヤモンドと呼ぶこともある。
【００５７】
上部３０、下部３２及び連結柱３４は協働してＹ形溝３６を画成する。また、Ｙ形溝３６は上部３０及び下部３２からそれぞれ互いに向けて張出しているスライダー１１の両側の横フランジ４２及び横フランジ４４によって画成される。Ｙ形溝３６は、連結柱３４によって第２の溝部３６ｂから分離された第１の溝部３６ａを有する。
【００５８】
スライダー１１は、第３の方向Ｂに垂直な第２の方向Ｃでスライダーの前端３８からスライダー１１の後端４０に延在する。また、Ｙ形溝３６は、連結柱３４の後端付近で第１及び第２の溝部３６ａ、３６ｂに隣接する第３の溝部３６ｃも含む。
【００５９】
第１の溝部３６ａ及び第２の溝部３６ｂは、スライダー１１の前端３８にそれぞれの第１及び第２の開口４６ａ、４６ｂを有する。第３の溝部３６ｃはスライダー１１の後端４０に第３の開口４６ｃを有する。
【００６０】
図４に示したスライドファスナーはコイルジッパーである。すなわち、各ストリンガーの結合エレメントが連続コイルとして形成されたスライドファスナーである。本願の中の他の図に示した実施形態は、射出成形されるか、又は恐らく各ストリンガーの結合エレメントが複数の別個の結合エレメントとして形成されている金属ジッパーである。結合エレメントの正確な構造が本発明に関連しないこと及び、そうしたものとして、図の各々の中の結合エレメント要素が等価であるとみなされ得ることはいうまでもない。
【００６１】
図５は、さらにスライドファスナー補強ストラップ（以下、単に「補強ストラップ」又は「ストラップ」とも言う）５０を含む既知のスライドファスナー１０を示す。補強ストラップ５０は、スライダー１１が（点線５２で示した）開構成になっている時にスライドファスナー１０の第１及び第２のテープ１６ａ、１６ｂ間に形成される開口１０ａを渡って固定される。スライドファスナー補強ストラップ５０は中心線（点線５８）に沿って第１の端５４から第２の端５６に延在する。
【００６２】
補強ストラップ５０の第１の端５４は第１のテープ１６ａに止着され、ストラップ５０の第２の端５６は第２のテープ１６ｂに止着される。ストラップ５０は、ストラップ５０（それゆえストラップの中心線５８）が概ねＵ字形になるようにそれ自体に折り返される。
【００６３】
使用中、ストリンガー１２ａ、１２ｂの少なくとも一方に（例えば矢印Ｐによって示した方向のどちらかで）ストリンガーを引き離そうとする力が加わった場合、ストラップ５０は、例えば、ストリンガーを下止め具２２のところで引き離すことによってスライドファスナーへの損傷が生じ得るほどまでストリンガーが引き離されるのを防ぐ。
【００６４】
スライドファスナーの用途によっては、スライドファスナーがチェーン１８の縦軸Ｌと概ね同じである第２の方向Ｃ及び、チェーン１８の平面への垂線と概ね同じである第３の方向Ｂの両方に垂直である軸に関して湾曲する必要があるものがある。これは例えば、スライドファスナーがスーツケースの角部を通過するスライドファスナーの部分でスーツケースの一部を成す時、又はスライドファスナーが例えば肩及び／又は腰といった着用者の身体の湾曲部上を通過するドライスーツのような物品の一部を成す時に起こり得る。図６は、スライドファスナーが上述のように湾曲しているチェーン１８に沿った位置でのスライダー１１の側面断面図を示す。
【００６５】
図６でわかるように、スライドファスナーが前述のように湾曲している時、そしてスライダー１１が第１の摺動方向Ｅで移動する時に、ストラップ５０がスライダー１１の前端３８に引っかかることが起こり得る。これが起きた場合、いくつかの望ましくない事柄のうちの少なくとも１つが生じ得る。
【００６６】
第１に、ストラップ５０はスライダー１１がスライドファスナーに沿ってそれ以上移動するのを妨げ、それによってスライドファスナーが閉まる（すなわちストリンガーの結合エレメントの全部が結合し合うようになる）のを防ぐ。第２に、十分な力がスライダーに加わった場合、ストラップ５０が引き裂かれるか、スライドファスナーから分離することが起こり得る。これらの場合のいずれも、ストラップ５０はもはやスライドファスナーが損傷を受けないようにするのを助けるうえでその機能を果たせないことはいうまでもない。第３に、スライダー１１に加わった力がストラップ５０によってストリンガーの少なくとも一方に伝わり、それによってストリンガーの結合エレメントが不揃いになるか、又は結合エレメントがスライダーの第１の溝部３６ａ及び第２の溝部３６ｂの少なくとも一方からもぎ取られる原因になることが起こり得る。これらの場合のいずれも、スライドファスナーは正しく機能しなくなる。
【００６７】
さらに、ストラップ５０の一部がスライダー１１の第１の溝部３６ａ及び第２の溝部３６ｂの一方に入り込み、もはやストリンガーに沿って摺動できないほどスライダーを動かなくするか、又は結合エレメントを押して所定の位置からずらすかのいずれかが起こり得る。結合エレメントを押して所定の位置からずらすことにより、スライダーの引っかかりをもたらし（すなわち結合エレメントの交互嵌合が不揃いの結合エレメントにより不可能なので）、各ストリンガーの結合エレメントが不揃いの位置で互いに結合することになり、結果としてスライドファスナーが正しく締結しないことになり得る。最後には、不揃いの結合エレメントは結合エレメントをそれが配置されるスライダーの溝部からはずすことになり得る。やはり、これはスライダーが正しく機能できない結果になる。
【００６８】
また、スライダーへのストラップの引っかかりに関する類似の問題は、補強ストラップを含むスライドファスナーが、例えば、ドライスーツ又はドレスなどの身体に密接する物品の一部を成す時にも起こり得る。そのような場合、物品の密接性は、補強ストラップが（例えば物品を着用する人の身体によって）スライダーの経路に強制され、そのためにやはりストラップがスライダーに引っかかるようになる結果になり得る。そうした引っかかりから生じる問題はすでに上に述べたので、そうしたものとしてここでは繰り返さない。
【００６９】
本発明の目的は、上述の課題を解決又は最小限にする補強ストラップを提供することである。
【００７０】
図７は、本発明の実施形態に従ったスライドファスナー補強ストラップ５０ａを示す。用途によっては、補強ストラップ５０ａは図５に示した従来技術の補強ストラップ５０に代替可能なものもある。
【００７１】
スライドファスナー補強ストラップ５０ａは、スライドファスナーの第１及び第２のテープ間に形成される開口１０ａを渡って固定され得る。例えば、スライドファスナー補強ストラップ５０ａが図５の中に示したストラップ５０に取って代わらなければならない場合、ストラップ５０ａは、スライダー１１が点線５２によって示した開位置にある開構成にスライドファスナー１０がなっている時に第１のテープ１６ａと第２のテープ１６ｂの間に形成される開口１０ａを渡って固定されるだろう。
【００７２】
補強ストラップ５０ａは、スライドファスナーの左右方向に延びる中心線５８ａに沿って第１の端５４ａから第２の端５６ａに延在する。ストラップ５０ａは第１の端５４ａと第２の端５６ａの間に第１の突出部６０を含む。第１の突出部６０は、第１の方向Ｆで中心線５８ａから延出する。第１の方向Ｆは中心線５８ａに垂直である。第１の突出部６０は、中心線５８ａから第１の突出部６０の自由端６０ａへ延出する。なお、中心線５８ａは、図５の中に示した補強ストラップ５０に代替した場合において、スライドファスナーの左右方向に延びる仮想線である。
【００７３】
補強ストラップ５０ａは、第１の平面に存するように概ね平面状である。この場合、第１の平面は図が存する頁の平面である。しかし他の実施形態では、補強ストラップは、この文書において後にさらに詳述する様態で機能可能であれば、平面状でなくてもよいことはいうまでもない。
【００７４】
第１の方向Ｆは第１の平面内に存することがわかる。
【００７５】
補強ストラップ５０ａは、例えば、柔軟性材料から形成されてもよく、それは、例えば、プラスチック材料のフィルムで被覆した織成材料から形成されてもよく、ストラップはビニル積層ポリエステル又はビニル被覆ポリエステルから形成されてもよい。柔軟性材料は結合部１４ａ、１４ｂよりも柔らかいものであり、テープ１６ａ、１６ｂと同等もしくはファスナーテープよりも柔らかい。
【００７６】
実施形態によっては、補強ストラップはテープ、スライドファスナーを形成したものと同じ材料で製作できるものもある。
【００７７】
前述の通り、補強ストラップ５０ａは、図５の中に示した補強ストラップ５０に代替し得る。そうしたものとして、本発明の別の態様によれば、スライドファスナー１０が第１及び第２のファスナーテープ１６ａ、１６ｂ及びスライダー１１を含む、スライドファスナー及びスライドファスナー補強ストラップが提供される。各ファスナーテープは、ファスナーテープ１６ａ、１６ｂの端縁に沿って設けられた結合部（この場合、結合エレメント１４ａ、１４ｂよりなる）を含む。ファスナーテープ１６ａ、１６ｂの結合部１４ａ、１４ｂは互いに隣接して位置する。第１及び第２のファスナーテープ１６ａ、１６ｂの結合部１４ａ、１４ｂはスライダー１１によって受け入れられる。スライダーは、第１の摺動方向Ｅでのファスナーテープに対するスライダーの移動が結合部を互いに係止させるように構成され、そして第１の摺動方向Ｅと反対の第２の摺動方向Ｄでのファスナーテープに対するスライダー１１の移動が結合部１４ａ、１４ｂを互いに分離させるように構成されている。
【００７８】
スライドファスナー補強ストラップ５０ａは、スライドファスナー１０に対して、第１の突出部６０が中心線５８ａから延出する第１の方向Ｆが第２の摺動方向Ｄと同じであるように向けられる。また、第１の方向Ｆは、下止め具２２に向かう方向と同じである。また、スライドファスナー補強ストラップ５０ａは、スライダー１１が下止め具２２に当接するように位置した時に補強ストラップ５０ａの第１の突出部６０がスライダー１１に重なることを保証するのに十分な量だけ第１の突出部６０が第１の方向Ｆで中心線５８ａから延出するように配置されている。
【００７９】
図５に示した特定の実施形態において（補強ストラップ５０が補強ストラップ５０ａで代替された場合の）、そして後にさらに詳述する図１０において、補強ストラップ５０ａ、５０ｂは中心線５８ａがＵ字形を成すようにそれ自体に折り返される。他の実施形態ではその必要はない。例えば、実施形態によっては、補強ストラップはそれ自体に折り返さなくてよく、そのため中心線はまっすぐのままである。他の実施形態では、補強ストラップがこの文書内で以下でさらに詳述する様態で機能できるのであれば、補強ストラップは任意の適切な形状に折ってもよい。
【００８０】
この文書内で述べる実施形態において、スライドファスナー補強ストラップ５０ａ、５０ｂはスライドファスナー１０に対して、スライドファスナー補強ストラップ５０ａの第１及び第２の端５４ａ、５６ａの中心線が第１及び第２の摺動方向Ｅ、Ｄと平行であるように向けられる。また、補強ストラップ５０ａ、５０ｂは、第１の突出部６０の領域での（すなわちそのごく近傍の）中心線５８ａが第１及び第２の摺動方向Ｅ、Ｄに垂直であるように向けられる。
【００８１】
図８Ａ〜図８Ｄは、本発明に従った第１の突出部を含むスライドファスナー補強ストラップが、補強ストラップが関係するスライドファスナーのスライダーがスライダーに引っかかる可能性を低減するために機能する方法を示す。
【００８２】
図８Ａ〜図８Ｄは、本発明に従った補強ストラップ５０ａが関係するスライドファスナー１０の一部の略側面図を示す。図示の例において、補強ストラップは、スライドファスナーの背面側（すなわちスライドファスナーのスライダーの引き手２６が位置する側の反対のスライドファスナーの側）にある。これらの図の中で、補強ストラップ５０ａは、（これらの図の中には示していない）その中心線が図が存する頁の平面に垂直であるような、すなわち図が存する頁の平面にそれが直接入り込むように向けられる。さらに、補強ストラップ５０ａはスライドファスナーに対して、第１の突出部６０が延在する第１の方向Ｆが第２の摺動方向Ｄと同じ方向（すなわち第１の摺動方向Ｅの反対方向）にあるように向けられる。
【００８３】
図８Ａは、従来技術のストラップ５０を（本発明に従った）ストラップ５０ａで代替して、図５における右側からの図を示す。そうしたものとして、第１のテープ１６ａ及びテープ１６ａに止着された結合エレメント１４ａは両方とも見ることが可能である。図８Ｂ〜図８Ｄ内で、結合エレメント１４ａは図の明快さを助けるために取り外してある。
【００８４】
図８Ａ〜図８Ｄは、スライドファスナー１０のスライダー１１が第１の摺動方向Ｅで移動する際のスライドファスナーの図の推移を示す。理論に縛られたくないので、以下の説明の部分は、本発明に従った補強ストラップによる機構が、関係するスライドファスナーのスライダーへの引っかかりを実質的に防ぐことを説明しようとするものである。
【００８５】
図８Ａの中に結合エレメントが示されているが、テープ及び関係する結合エレメントがスライダー１１の前端３８で分かれるという事実のために（図５の上部の結合エレメント１４ａ、１４ｂ間の空間を参照）、ダイヤモンド３４に隣接するスライダー１１の前端３８の中心の前には（例、図４に図示のダイヤモンド３４の例えば左側に）結合エレメントがまったく存在しないことはいうまでもない。
【００８６】
補強ストラップ５０ａは、スライドファスナーに対して第１の突出部６０がスライダーのチェーンの縦軸Ｌに沿って中心に位置するように整列されている。
【００８７】
転じて図８Ａ〜図８Ｄの各々を検討すれば、図８Ａにおいてスライダー１１はスライドファスナーに沿って、補強ストラップ５０ａの第１の突出部６０がスライダー１１の上部３０とスライダー１１の下部３２との間に受け入れられる位置に移動したことがわかる。この間に、ストラップ５０ａはスライダー１１の前端３８で下部３２の端縁と接触する。この場合、スライダー１１が補強ストラップ５０ａに接近する際に補強ストラップ５０ａの第１の突出部６０がスライダー１１の下部３２の平面より上方にあるので、ストラップ５０ａはスライダーと接触することはいうまでもない。これは、例えば、スライドファスナーが湾曲しているか、又はスライドファスナーが身体に密接する衣服の一部を成している状況で生じ得る。他の場合、第１の突出部６０は単にスライダー１１の下部３２上を通過する。
【００８８】
さらに、第１の突出部６０の自由端６０ａは連結柱３４に接触する。スライダー１１が図８Ａに示した位置と図８Ｂに示した位置の間で第１の摺動方向Ｅに移動する際、補強ストラップ５０ａはスライダー１１の下部３２の前端辺縁に沿って、且つダイヤモンド３４の前端に位置するダイヤモンド３４の表面６２に沿って摺動する。
【００８９】
スライダーが図８Ｂに示した位置に達すると、補強ストラップの第１の突出部６０の自由端６０ａは、この例ではスライダー１１の上部３０に接触する。スライダー１１が図８Ｂに示した位置から図８Ｃに示した位置へ第１の摺動方向Ｅで移動し続けると、スライダー１１の前端３８のスライダー１１の下部３２の端縁は旋回軸の働きをして、第１の突出部６０がそれに沿って摺動する。
【００９０】
最後に、スライダーが図８Ｃに示した位置を過ぎて第１の摺動方向Ｅに移動し続けると、図８Ｄに示すように、第１の突出部６０はスライダー１１の前端３８のスライダー１１の下部３２の端縁上に弾かれ、それにより第１の突出部６０の自由端６０ａはスライダー１１の下部３２の下側又はその付近に静止することになる。
【００９１】
図８Ａ〜図８Ｄに関して上述したようにして、スライドファスナー補強ストラップ５０ａの第１の突出部６０は補強ストラップ５０ａがスライダー１１に引っかかるのを防ぐ。代わって、補強ストラップ５０ａはスライダーが第１の摺動方向Ｅで移動する際にスライダーの上を通過する。補強ストラップ５０ａがスライダー１１に引っかかるのを防ぐことによって、従来技術の補強ストラップの前述の不利益の全部が克服されることはいうまでもない。
【００９２】
実施形態によっては、第１の突出部６０の幅Ｗが小さすぎる場合、第１の突出部はスライダー１１のＹ形溝３６の第１の溝部３６ａ又は第２の溝部３６ｂに引き込まれることもあることを出願人は発見した。この場合、スライダー１１が動かなくなり、補強ストラップが損傷を受け、且つ／又はスライドファスナーが損傷を受けることもある。従って、出願人は、実施形態によっては、第１の突出部６０の幅Ｗは特定の量よりも大きいことが望ましいと確定した。これについては以下でさらに詳述する。
【００９３】
前述の通り、スライダーは、第３の方向Ｂで上部３０から下部３２へ延在する連結柱３４によって下部３２と連結された上部３０を備える。上部３０、下部３２及び連結柱３４は、協働して、連結柱３４によって第２の溝部３６ｂから分離された第１の溝部３６ａと第１の溝部３６ａ及び第２の溝部３６ｂに隣接する第３の溝部３６ｃとを有するＹ形溝を画成する。
【００９４】
第１のファスナーテープ１６ａの結合部１４ａはスライダー１１のＹ形溝の第１及び第３の溝部３６ａ、３６ｃによって受け入れられる。第２のファスナーテープ１６ｂの結合部１４ｂはスライダー１１のＹ形溝の第２の溝部３６ｂ及び第３の溝部３６ｃによって受け入れられる。
【００９５】
第１の突出部６０の幅Ｗ、例えば（突出部のごく近傍の中心線の部分に平行な）第１の突出部６０の自由端６０ａは、Ｙ形溝３６の第１の溝部３６ａの入口４６ａの幅Ｗ１及び／又はＹ形溝３６の第２の溝部３６ｂの入口４６ｂの幅Ｗ２よりも大きい。入口の幅は図４に最善に見ることができる。第１の溝部３６ａの入口の幅と第２の溝部３６ｂの入口の幅は、第１の突出部６０のごく近傍の補強ストラップ５０ａの中心線５８ａに平行な方向にある（一部の実施形態において、これはチェーンの縦軸Ｌ及び／又は第１及び第２の摺動方向Ｅ、Ｄに垂直な方向で計測した幅に等しいとしてよい）。
【００９６】
第１の突出部６０の幅Ｗ、例えば、縦軸Ｌに平行な第１の突出部６０の自由端６０ａは、（チェーンの縦軸Ｌに垂直な方向で計測した）結合エレメントの幅よりも大きいとしてよい。
【００９７】
また、出願人は、実施形態によっては、第１の突出部６０は、第１の突出部６０に隣接しているスライドファスナー補強ストラップ５０ａの部分５５ａから特定の量よりも大きい距離Ｐだけ延出することが有益になり得ると確定した。距離Ｐは第１の方向Ｆで計測され得る。
【００９８】
その関連実施形態において距離Ｐが特定の量よりも大きいように保証することによって、図８Ａ〜図８Ｄに示すように、スライダーが第１の摺動方向Ｅで移動する間に補強ストラップ５０ａがスライダー１１の上を摺動可能なよう補助でき得ると考えられる。例えば、距離Ｐが短すぎる場合、スライダー１１の前端３８のスライダー１１の下部３２の端縁が旋回軸の働きをして第１の突出部６０がそれに沿って摺動する効果、及び、第１の突出部６０がスライダー１１の前端３８のスライダー１１の下部３２の端縁上に弾かれ、それにより第１の突出部６０の自由端６０ａがスライダー１１の下部３２の下側で静止することになる効果を生じるのが妨げられ、それにより場合によってはスライダーへの補強ストラップの引っかかりを生じさせると考えられる。
【００９９】
実施形態によっては、距離Ｐは、下部３２の最前端６６と連結柱３４が上部３０に隣接する最前点６８との間の距離よりも大きいことが望ましいものもある。「最前」とは、第１の摺動方向Ｅでスライダーで最も先に位置する部分を意味する。又は言い換えれば、「最前」とはスライダーにおいてスライダー１１の前端３８に可能な限り近くに位置する部分を意味する。
【０１００】
他の実施形態において、距離Ｐは上部３０と下部３２との間の第３の方向Ｂでの距離の半分よりも大きいことが望ましい。
【０１０１】
図９は、本発明のさらなる実施形態に従ったスライドファスナー補強ストラップ５０ｂの略平面図を示す。図７に示した補強ストラップと同様、図９に示した補強ストラップ５０ｂは、中心線５８ａに沿って第１の端５４ａから第２の端５６ａに延在する。補強ストラップ５０ｂは、第１及び第２の端５４ａ、５６ａ間に第１の突出部６０を含む。第１の突出部６０は図７に示した実施形態に関して既述したものとほぼ同じ形式である。従って、簡単のために、この特徴の説明の不要な繰り返しは避ける。
【０１０２】
さらに、補強ストラップ５０ｂは、中心線５８ａ（詳しくは第２の突出部６４のごく近傍の中心線の部分）に垂直である第２の方向Ｓで中心線５８ａ（詳しくは第２の突出部６４のごく近傍の中心線の部分）から延出する第２の突出部６４も含む。また、第２の方向Ｓは一般に第１の方向Ｆの反対である。第２の突出部６４は、前記第２の方向Ｓで中心線５８ａ（詳しくは第２の突出部６４のごく近傍の中心線の部分）から第２の突出部６４の自由端６４ａへ延出する。また、図１０に示す実施形態では、第２の方向Ｓは、端止め具２２に向かう方向と同じであり、第１の方向Ｆは、端止め具２２から離間する方向と同じである。
【０１０３】
図１０は、図９に示した形式の補強ストラップ５０ｂを含むスライドファスナー１０の概略図を示す。図１０に示した本発明の実施形態に従ったスライドファスナーは、図５に示した従来技術の補強ストラップが本発明の実施形態に従った補強ストラップ５０ｂと代替されていること以外、図５に示した従来技術のスライドファスナーと同様であることを指摘しておく。図５及び図１０の中の対応する特徴及び方向は、同じ参照符号を用いて言及する。簡単のために、図５に関して既述した図１０の中に示したスライドファスナーの特徴はここで繰り返さない。しかし簡単に言えば、補強ストラップ５０ｂが略Ｕ字形を成すために２箇所（突出部６０、６４のそれぞれの側）でそれ自体に折り返されていることは指摘するに値する。従って、中心線５８ａもまた略Ｕ字形を成す。補強ストラップ５０ｂの第１の端５４ａはスライドファスナーの第１のテープ１６ａに止着され、補強ストラップ５０ｂの第２の端５６ａはスライドファスナー１０の第２のテープ１６ｂに止着される。そうした止着は、溶接、縫製及び／又は接着の使用を含むが、これらに限らず任意の適切な方法で実現し得る。
【０１０４】
図７及び図５に関して述べた補強ストラップの前述の実施形態において第１の突出部が中心線から延出する第１の方向Ｆは一般に第２の摺動方向Ｄと同じであるが、これは必ずしもその必要はないことはいうまでもない。例えば、図１０に示したような一部の実施形態において、補強ストラップは、第１の突出部が中心線から延出する第１の方向Ｆが一般に第１の摺動方向Ｅと同じであるように反対方向でスライドファスナーに対して向けてもよい。また、補強ストラップが第１及び第２の突出部６０，６４を含む本発明に従ったスライドファスナーの実施形態において、第１の突出部６０が延出する第１の方向Ｆが第１の摺動方向Ｅと同じである場合、第２の突出部６４が延出する第２の方向Ｓは第２の摺動方向Ｄと同じであり得る。反対に、第１の突出部６０が延出する第１の方向Ｆが第２の摺動方向Ｄと同じであるように補強ストラップが向けられる場合、第２の突出部が延出する方向Ｓは第１の摺動方向Ｅと同じであるとしてよい。
【０１０５】
前述の通り、本発明に従ったスライドファスナーは、第１及び第２のテープ１６が端止め具によって一緒に固定されるようなものとしてよい。スライドファスナーの分野において周知の通り、端止め具は、第１の摺動方向Ｅ又は第２の摺動方向Ｄのどちらかで第１及び第２のファスナーテープ１６ａ、１６ｂに対するスライダーの移動を制限する。スライドファスナーの中には単一の端止め具を含むものもあれば、複数の端止め具を含むものもある。第１の摺動方向（すなわちスライドファスナーのストリンガーの結合エレメントを互いに結合させる方向）で第１及び第２のファスナーテープに対するスライダーの移動を制限する端止め具は、上止め具と称し得る。第１及び第２のテープ１６ａ、１６ｂを一緒に固定する図１０に示した端止め具２２は、第２の摺動方向Ｄ（すなわちスライドファスナーのストリンガーの結合エレメントを互いに分離させる方向）で第１及び第２のテープ１６ａ、１６ｂに対するスライダー１１の移動を制限する。そのような端止め具は下止め具と称し得る。
【０１０６】
図１０への言及を続けると、スライドファスナー補強ストラップ５０ｂは、スライダーが端止め具に当接するように位置した時に補強ストラップ５０ｂがスライダー１１に重なるように、端止め具２２（この場合、下止め具２２）に対して配置されている。より詳細には、スライダー１１の後端４０が下止め具２２に接触している時（スライダーが第２の摺動方向Ｄで可能な限り先に移動したように、従ってスライドファスナー１０は全開構成にあるように）、補強ストラップ５０ｂの第２の突出部６４は少なくともスライダー１１の前端３８と重なる。「重なる」によって意味することは、補強ストラップ（そしてこの場合、補強ストラップの第２の突出部）が第１の摺動方向Ｅでスライダーに重なるということである。言い換えると、スライドファスナーを補強ストラップの上方から見た時に、補強ストラップがスライダーの一部を見えなくするように補強ストラップとスライダーは重なり合う。
【０１０７】
下止め具に当接するようにスライダーが位置した時にスライダーに重なるように補強ストラップを配置することの利益は、スライダーが第２の摺動方向Ｄでスライドファスナーの（スライダーが下止め具に当接する）全開位置に移動した時に、スライダーが補強ストラップ５０ｂを過ぎて移動できる可能性がないことである。こうして、スライダーが第１の摺動方向Ｅに下止め具２２から離れて移動する際に補強ストラップ５０ｂがスライダー１１の経路を妨げる可能性はまったくない。下止め具２２から離れて移動するスライダー１１を補強ストラップ５０ｂが妨げるのを防ぐことによって、補強ストラップ５０ｂがスライダー１１を引っかけるのを防止する。
【０１０８】
図１０は、下止め具に当接するようにスライダーが位置した時に補強ストラップがスライダーに重なるように補強ストラップが下止め具に隣接して配置されるスライドファスナーを示しているが、他の実施形態では、スライダーが上止め具に当接するように位置した時にスライダーに重なるようにスライドファスナー補強ストラップを配置してもよいことはいうまでもない。そうした実施形態では、スライダーの前端３８は上止め具に当接し、スライダーの後端４０は補強ストラップの一部（例えば補強ストラップの第２の突出部）と重なるとしてよい。また、スライダーが上止め具に当接するように位置した時にスライダーに重なるように図７に示すスライドファスナー補強ストラップ５０ａを配置する場合、補強ストラップ５０ａの第１の突出部６０が延出する第１の方向Ｆを第１の摺動方向Ｅと同じにする。そして、この場合、スライダーが上止め具に当接するように位置した時に第１の突出部６０がスライダーに重なることを保証するのに十分な量だけ第１の突出部６０が第１の方向Ｆで中心線から延出する。
【０１０９】
前述の実施形態において補強ストラップは、スライダーが端止め具に当接するように位置した時に第２の突出部がスライダーに重なるように配置されているが、他の実施形態では、特に第２の突出部のないものでは、スライダーが端止め具に当接するように位置した時に補強ストラップの任意の適切な部分がスライダーに重なるように補強ストラップを配置してもよいことはいうまでもない。
【０１１０】
実施形態によっては、第２の突出部の大きさ及びスライドファスナー補強ストラップの位置は、スライドファスナーの性能を最適化するように選択されるものもある。詳しくは、端止め具２２に当接するようにスライダーが位置した時に、第１の摺動方向Ｅに平行な方向で計測したスライダーの長さのおよそ３分の１に等しい距離だけ第２の突出部６４がスライダー１１に重なることを保証するのに十分な量で第２の突出部が第２の方向Ｓで中心線５８から延出するように第２の突出部の大きさ及びスライドファスナー補強ストラップの位置を選択してもよい。すなわち、第２の突出部６４はスライダー１１の最前部とスライダーの最後部との間の距離のおよそ３分の１に等しい距離だけスライダーに重なる。この文脈において、最前部及び最後部は、それぞれ、第１の摺動方向で最大限に位置する部分及び第１の摺動方向Ｅで最小限に位置する部分として定義される。
【０１１１】
この量の重なりを与えることが、スライダーが端止め具から離れて移動する時に補強ストラップがスライダーの移動を妨げないことを保証するうえで特に有効であるとわかった。
【０１１２】
本発明に従ったスライドファスナーの一実施形態において、スライドファスナーは出願人が公に製造し供給するナンバー１０Ａｑｕａｓｅａｌ（登録商標）ジッパーである。当該スライドファスナーに関して、（例えば図９に示したような）適格な補強ストラップ５０ｂの寸法を以下に説明する。
【０１１３】
補強ストラップ５０ｂの全長ＬＲ（すなわち中心線５８ａに垂直な方向で第１の突出部６０の自由端から第２の突出部６４の自由端まで）は約４０ｍｍである。本実施形態において、第１の突出部６０は、第２の突出部６４が第２の方向Ｓで中心線５８から延出するのとほぼ同じ距離だけ第１の方向Ｆで中心線５８ａから延出する。そうしたものとして、それぞれの場合に、第１の突出部が中心線から延出する距離及び第２の突出部が中心線から延出する距離はおよそ２０ｍｍである。他の実施形態では、第１の突出部が中心線から延出する距離は第２の突出部が中心線から延出する距離と異なり得ることはいうまでもない。
【０１１４】
中心線５８ａに垂直な方向での第１及び第２の端５４ａ、５６ａの幅ＬＭはおよそ１０ｍｍである。
【０１１５】
第１及び第２の突出部６０、６４の各々の自由端６０ａ、６４ａの幅はおよそ１１ｍｍであり、参照符号ＷＴで示されている。第１の突出部６０及び第２の突出部６４の各々の基部の幅（基部は中心線のごく近傍に位置する）はおよそ１７ｍｍであり、参照符号ＷＢで示されている。前記の幅ＷＴ及びＷＢの両方とも中心線５８ａ（特に突出部６０、６４のごく近傍の中心線の部分）に平行な方向で計測される。本実施形態では第１及び第２の突出部の各々の幅ＷＴ及びＷＢは同じであるが、他の実施形態においてその必要はないことはいうまでもない。
【０１１６】
第１の端５４ａから第２の端５６ａまでの補強ストラップ５０ｂの幅ＷＲは、中心線５８ａに沿って計測して、およそ１００ｍｍである。
【０１１７】
実施形態によっては、距離ＷＲ、ＷＴ、ＷＢ、ＬＭ及び第１の突出部が第１の方向で中心線から第１の突出部の自由端へ延出する距離は、図７に示した実施形態についても図９に示した実施形態と同じとしてよいことはいうまでもない。
【０１１８】
前述の通り、本発明に従ったスライドファスナーは防水スライドファスナーであってもなくてもよい。スライドファスナーが防水スライドファスナーである場合、防水スライドファスナーはスライドファスナーの閉鎖構成において水がスライドファスナーを通り抜けるのを実質的に防ぐように構成される。
【０１１９】
また、本発明は、上述の形式のスライドファスナーを含む物品も包含する。そうした物品が図１１に示されている。図１１はドライスーツ７０の形態の物品を示す。ドライスーツ７０はスライドファスナー１０を含み、それはドライスーツの腰部のまわり、及びドライスーツの肩部の上を通過するようにドライスーツを横切って延在する。図１１に示した本発明に従った物品はドライスーツであるが、本発明に従ったスライドファスナーが任意の適切な物品に適用してもよいことはいうまでもない。
【０１２０】
図１２は、本発明に従ったスライドファスナー補強ストラップ５０ｂを含む物品７２の一部を示す。スライドファスナー補強ストラップ５０ｂは、スライドファスナーの第１及び第２のテープ間に形成される開口１０ａを渡って次のように固定される。補強ストラップ５０ｂの第１の端５４は物品７２の第１の部分７２ａに止着される。補強ストラップ５０ｂの第２の端５６は物品７２の第２の部分７２ｂに止着される。スライドファスナー１０の第１のファスナーテープ１６ａは、物品７２の第１の部分７２ａに隣接して配置され、物品７２の第１の部分７２ａに止着される。このようにして、第１のファスナーテープ１６ａは、物品７２の第１の部分７２ａと第２のファスナーテープ１６ｂとの間に配置される。スライドファスナー１０の第２のファスナーテープ１６ｂは、物品７２の第２の部分７２ｂに隣接して配置され、物品７２の第２の部分７２ｂに止着される。このようにして、第２のファスナーテープ１６ｂは、物品７２の第２の部分７２ｂと第１のファスナーテープ１６ａとの間に配置される。
【０１２１】
前述したような一部の実施形態において、突出部及び補強ストラップの残りの部分は一体構成である。他の実施形態では、第１の突出部及び、存在する場合に第２の突出部は、補強ストラップの残りの部分から分離しているが任意の既知の様態で固定された少なくとも１つの部分から形成され得る。
【０１２２】
なお、上記各実施形態では、第１の突出部及び第２の突出部は、補強ストラップがＵ字状に折り返された２つの折り返し部の間に形成されている。また、補強ストラップの中心線は、２つの折り返し部の間においては第１の方向に垂直であり、折り返し部から第１の端への中心線は第１の方向に同じ方向であり、折り返し部から第２の端への中心線は第１の方向に同じ方向である。また、第１の突出部が延出する方向が第２の摺動方向であるとき、第１の突出部は、補強ストラップの折り返し部から第１の端又は第２の端に向かう方向と反対方向に延出する。また、第２の突出部が延出する方向が第１の摺動方向であるとき、第２の突出部は、補強ストラップの折り返し部から第１の端又は第２の端に向かう方向と同じ方向に延出する。ここで、補強ストラップは、スライダーの移動を制限する端止め具の近傍に位置することが好ましい。補強ストラップは、第２の摺動方向での第１及び第２のファスナーテープに対するスライダーの移動を制限する端止め具（下止め具）の近傍に位置する場合には、第１の端および第２の端が、折り返し部から見て第１の摺動方向に向いている。補強ストラップは、第１の摺動方向での第１及び第２のファスナーテープに対するスライダーの移動を制限する端止め具（上止め具）の近傍に位置する場合には、第１の端および第２の端が、折り返し部から見て第２の摺動方向に向いている。なお、折り返し部は、折り目として予め形成することで、折り返し部を挟む中心線を含む平面が、平行になり、嵩張らないようにすることができる。一方で、折り目を予め形成することは必須でない。この場合、折り返し部は、上述したように中心線の方向の変化によって生じる部分といえる。
【符号の説明】
【０１２３】
１０  既知のスライドファスナー
１１  スライダー
１２ａ、１２ｂ  ストリンガー
１４ａ、１４ｂ  結合エレメント（結合部）
１６ａ、１６ｂ  ファスナーテープ
１８  チェーン
２０ａ、２０ｂ  上止め具（端止め具）
２２  下止め具（端止め具）
２４  胴体
２６  引き手
２８  橋部
３０  上部
３２  下部
３４  連結柱
３６  Ｙ形溝
３６ａ  第１の溝部
３６ｂ  第２の溝部
３６ｃ  第３の溝部
３８  スライダーの前端
４０  スライダーの後端
４２、４４  横フランジ
４６ａ  第１の開口、入口
４６ｂ  第２の開口、入口
４６ｃ  第３の開口
５０、５０ａ、５０ｂ  スライドファスナー補強ストラップ
５４、５４ａ  第１の端
５６、５６ａ  第２の端
５８、５８ａ  中心線
６０  第１の突出部
６０ａ  自由端
６４  第２の突出部
６６  最前端
６８  最前点
７０  ドライスーツ
７２  物品
７２ａ  第１の部分
７２ｂ  第２の部分
Ｌ  縦軸
Ｅ  第１の摺動方向
Ｄ  第２の摺動方向
【図１】
2017030123.tif 000003
【図２】
2017030123.tif 000004
【図３】
2017030123.tif 000005
【図４】
2017030123.tif 000006
【図５】
2017030123.tif 000007
【図６】
2017030123.tif 000008
【図７】
2017030123.tif 000009
【図８Ａ】
2017030123.tif 000010
【図８Ｂ】
2017030123.tif 000011
【図８Ｃ】
2017030123.tif 000012
【図８Ｄ】
2017030123.tif 000013
【図９】
2017030123.tif 000014
【図１０】
2017030123.tif 000015
【図１１】
2017030123.tif 000016
【図１２】
2017030123.tif 000017
【国際調査報告】
2017030123.tif 000018
2017030123.tif 000019